(57)【要約】  記憶装置、インターフェース、ハウジング（140）、表示要素およびコントローラーを含む選択可能パターンの時刻表示装置（110）である。 本記憶装置は、選択可能表示パターンを記憶する。 本インターフェースは、表示パターンを選択する入力を受信する。 ハウジング（140）は、選択された表示パターンを表示する表示領域（142）を含む。 表示要素は、時間表示要素（150）、分表示要素（160）、秒表示要素、日表示要素、日付表示要素、および・または月表示要素を含む可能性がある。 時間は、表示状態の表示要素により表示される。
2007504457.tif 000002
【特許請求の範囲】
【請求項１】
選択可能表示パターンで時間を表示する装置は以下のように構成される。
多数の選択可能表示パターンを保存可能な記憶装置を有する。
オペレーターからの少なくとも１つの入力を受信可能な、また受信した入力に対し1つの前記の選択可能表示パターンを選択する前記のインターフェースを有する。
多数の表示要素には、表示領域の近くに位置する多数の時間表示要素と多数の分表示要素を含む。
時間メカニズム、前記の記憶装置およびインターフェースと関わり合いのある表示要素コントローラーを有する。
前記の各時間表示要素は少なくとも状態表示と非状態表示を持ち、１時間の経過を示す。
前記の表示状態にある前記の時間表示要素の表示要素の量は、一日のうちの時間の経過を示す。
表示状態にある前記の分表示要素の表示要素の量は、一分の経過を示し、また前記の表示状態にある前記の分表示要素の表示要素の両は、一時間のうちの分の経過を示す。
前記のコントローラーは、前記の時間表示要素および前記の分表示要素と密接に係わり合い、またコントローラーは前記の時間表示要素および前記の分表示様子の前記の表示状態および非表示状態のどちらかで前記の時間表示要素および前記の分表示要素を切り替えることが可能である。
コントローラーは時間メカニズムから時間シグナルを受信し、また受信後、表示領域の近くに表示される選択可能表示パターンの選択（時間グループパターンおよび分グループパターン）のため時間シグナルに対し表示管理シグナルを時間表示要素および分表示要素に出力する。
選択された選択可能な表示パターンの各グループパターンは表示領域に対して別個で認識できるものであり、事実上それぞれ識別可能である。
【請求項２】
請求項１に従い、当該装置は、前記時間グループ・パターンと前記分グループ・パターンのそれぞれが多数の小群パターンを構成し、各前記小群パターンがその小群パターン内の何らかの表示要素によって開始することが可能で、前記時間グループ・パターンの前記小群グループ・パターンの間の表示領域の近くの表示の時間的順序が前記時間グループ・パターンの前記小群パターンのどれか一つの中にある何らかの表示要素によって開始することが可能であり、前記分グループ・パターンの前記小群グループ・パターンの間の表示領域の近くの表示の時間的順序が前記分グループ・パターンの前記小群パターンのどれか一つの中にある何らかの表示要素によって開始することが可能であることを特徴とする。
【請求項３】
請求項２に従い、当該装置は、各前記時間グループ・パターンと前記分グループ・パターンの各小群パターンが、２表示要素、３表示要素、４表示要素、５表示要素、６表示要素のうちの一つからなる表示要素のグループによって表示されることを特徴とする。
【請求項４】
請求項１に従い、当該装置は、前記時間グループ・パターンと前記分グループ・パターンの組み合わせで単一表示パターンを形成することを特徴とする。
【請求項５】
請求項１に従い、当該装置は、各前記時間グループ・パターンと前記分グループ・パターンが、ドットの最初のグループ・パターン、ドットの二番目のグループ・パターン、線の最初のグループ・パターン、線の二番目のグループ・パターン、形状の最初のグループ・パターン、形状の二番目のグループ・パターンのうちの一つからなるグループ・パターンのグループから選択されることを特徴とする。
【請求項６】
請求項１に従い、当該装置では、
時間表示要素は、１２または２４の主要時間表示要素で構成される時間表示要素のグループから選択される。 主要時間表示要素は１時間の経過を示し、
分表示要素は、６０の主要分表示要素（各分が１分の経過を示す）、１２の主要分表示要素（５分の経過を示す）、１２の主要分表示要素および４の２次的な分表示要素（５分間の中の４分間のうち１分の経過を示す）から構成される分表示要素から選択される。
【請求項７】
請求項１に従い、当該装置は、前記記憶装置、前記インターフェース、前記多数の表示要素と前記コントローラーが単一操作装置として製造されていることを特徴とする。
【請求項８】
請求項１に従い、当該装置は、前記多数の表示要素が更に、表示領域の近くに位置する多数の二次表示要素を構成し、各前記二次表示要素が少なくとも表示状態と非表示状態を持ち、少なくとも１秒の経過を表示、前記二次表示要素の表示要素の量が前記秒表示要素の前記表示状態にあることが、１分における秒の経過を示し、これにより前記コントローラーは前記二次表示要素と操作可能表示通信状態にあり、これにより、前記選択可能秒表示、秒グループパターンのうちの一つの秒グループ・パターンが、時間信号に反応して前記コントローラーからの出力表示コントロール信号の結果として 表示領域の近くに表示され、前記秒グループ・パターンが、表示領域に対して別個で認識できるものであり、前記時間グループ・パターンと前記分グループ・パターンから視覚的に識別可能であることを特徴とする。
【請求項９】
請求項８に従い、当該装置では、
前記の時間表示要素は１２の主要時間表示要素および２４の主要時間表示要素（各主要時間表示要素は１時間の経過を示す）で構成される時間表示要素のグループから選択され、
分表示要素は、６０の主要分表示要素（各分が１分の経過を示す）、１２の主要分表示要素（５分の経過を示す）、１２の主要分表示要素および４の２次的な分表示要素（５分間の中の４分間のうち１分の経過を示す）から構成される分表示要素から選択される。
秒表示要素は、６０の主要秒表示要素（各分が1秒の経過を示す）、１２の主要秒表示要素（５秒の経過を示す）、１２の主要秒表示要素および４の２次的な秒表示要素（５秒間の中の４秒間のうち１秒の経過を示す）から構成される秒表示要素から選択される。
【請求項１０】
請求項１に従い、当該装置は、前記多数の表示要素が更に、表示領域の近くに位置する多数の日表示要素を構成し、各前記日表示要素が少なくとも表示状態と非表示状態を持ち、一週間における１日の経過を表示、前記日表示要素の表示要素の量が前記日表示要素の前記表示状態にあることが、１週間における日の経過を示し、これにより前記コントローラーは前記日表示要素と操作可能であり、また通信状態にあり、これにより、前記選択可能な表示パターンのうちの一つの日グループ・パターンが、時間信号に反応して前記コントローラーからの出力表示コントロール信号の結果として 表示領域の近くに表示され、前記日グループ・パターンが、表示領域に対して別個で認識できるものであり、前記時間グループ・パターンと前記分グループ・パターンから視覚的に識別可能であることを特徴とする。
【請求項１１】
請求項１に従い、当該装置は、前記多数の表示要素が更に、表示領域の近くに位置する多数の日表示要素を構成し、各前記日表示要素が少なくとも表示状態と非表示状態を持ち、１ヶ月における１日の経過を表示し、前記日表示要素の表示要素の量が前記日表示要素の前記表示状態にあることが、１ヶ月における日の経過を示し、これにより前記コントローラーは前記日表示要素と操作可能表示が通信状態にあり、これにより、前記選択可能表示パターンのうちの一つの日グループ・パターンが、時間信号に反応して前記コントローラーからの出力表示コントロール信号の結果として 表示領域の近くに表示され、前記日グループ・パターンが、表示領域に対して別個で認識できるものであり、前記時間グループ・パターンと前記分グループ・パターンから視覚的に識別可能であることを特徴とする。
【請求項１２】
請求項１１に従い、当該装置は、前記多数の表示要素が更に、表示領域の近くに位置する多数の二次表示要素を構成し、各前記二次表示要素が少なくとも表示状態と非表示状態を持ち、少なくとも１秒の経過を表示し、前記二次表示要素の表示要素の量が前記月表示要素の前記表示状態にあることが、１年における月の経過を示し、これにより前記コントローラーは前記二次表示要素と操作可能で通信状態にあり、これにより、前記選択可能で、月表示パターンのうちの一つの月グループ・パターンが、時間信号に反応して前記コントローラーからの出力表示コントロール信号の結果として 表示領域の近くに表示され、前記月グループ・パターンが、表示領域に対して別個で認識できるものであり、前記時間グループ・パターン、前記分グループ・パターン、前記日付グループ・パターンから視覚的に識別可能であることを特徴とする。
【請求項１３】
請求項１２に従い、当該装置のインターフェースは、最初のポジションおよび第2のポジションのいずれに配置可能なパターントーグルメンバーにより構成される。最初のポジションの時、少なくとも１つのグループパターン（時間グループパターン、分グループパターン、日付グループパターン、月グループパターン）のいずれが表示され、また第２のポジションの時も少なくとも１つのグループパターン（時間グループパターン、分グループパターン、日付グループパターン、月グループパターン）のいずれが表示される。（最初の表示と第２の表示と視覚的に鮮明に識別ができる。）
【請求項１４】
請求項１２に従い、当該装置のインターフェースは、最初のポジションおよび第2のポジションのいずれに配置可能な時間表示トグルメンバーにより構成される。最初のポジションの時、少なくとも１つのグループパターン（時間グループパターン、分グループパターン）のいずれが表示され、また時間表示トグルメンバーが第２のポジションの時、数列で時間のパターンが表示される。
【請求項１５】
請求項１２に従い、当該装置のインターフェースでは、最初のポジションでは時間グループ、分グループで構成され時間の表示のみを行い、また第２のポジションでは月グループおよび日付グループで構成され、また第３のポジションでは月グループ、日グループ、時間グループ、分グループで構成されているため時間および日付が表示されるのを時間表示トーグルメンバーを切り替えることにより、表示要素を切り替えれる。
【請求項１６】
請求項１に従い、当該装置は、更に、前記表示要素の画像を表示領域に投射するために前記記憶装置と前記インターフェースに接続した投射装置を構成する。
【請求項１７】
選択可能表示パターンで時間の表示する装置は以下のように構成される、
多数の選択可能表示パターンを保存できる記憶装置を有する。
オペレーターからの少なくとも１つの入力を受信可能な、また受信した入力に対し1つの前記の選択可能表示パターンを選択する前記のインターフェースを有する。
表示領域（選択可能表示パターンを表示する部分）で構成されるハウジングを有する。
多数の表示要素には、表示領域の近くに位置する多数の時間表示要素と多数の分表示要素を含む。
時間メカニズム、前記の記憶装置およびインターフェースと関わり合いのある表示要素コントローラーを有する。
各時間表示要素は少なくとも表示状態および非表示状態があり（１時間の経過を示す）、時間表示要素の表示状態の表示要素の量は一日のうちの経過した時間を示す。
各分表示要素は少なくとも表示状態および非表示状態があり（１分の経過を示す）、分表示要素の表示状態の表示要素の量は一時間のうちの経過した分を示す。
前記のコントローラーは、前記の時間表示要素および前記の分表示要素と密接に係わり合い、またコントローラーは前記の時間表示要素および前記の分表示様子の前記の表示状態および非表示状態のどちらかで前記の時間表示要素および前記の分表示要素を切り替えることが可能である。
コントローラーは時間メカニズムから時間シグナルを受信し、また受信後、表示領域の近くに表示される選択可能表示パターンの選択（時間グループパターンおよび分グループパターン）のため時間シグナルに対し表示管理シグナルを時間表示要素および分表示要素に出力する。
前記時間グループパターンと前記分グループパターンは表示領域に対して別個で認識できるものであり、事実上それぞれ識別可能である。
【請求項１８】
請求項１７に従い、当該装置は、前記時間グループ・パターンと前記分グループ・パターンのそれぞれが多数の小群パターンを構成し、各前記小群パターンがその小群パターン内の何らかの表示要素によって開始することが可能で、前記時間グループ・パターンの前記小群グループ・パターンの間の表示領域の近くの表示の時間的順序が前記時間グループ・パターンの前記小群パターンのどれか一つの中にある何らかの表示要素によって開始することが可能であり、前記分グループ・パターンの前記小群グループ・パターンの間の表示領域の近くの表示の時間的順序が前記分グループ・パターンの前記小群パターンのどれか一つの中にある何らかの表示要素によって開始することが可能であることを特徴とする。
【請求項１９】
請求項１８に従い、当該装置は、各前記時間グループ・パターンと前記分グループ・パターンの各小群パターンが、２表示要素、３表示要素、４表示要素、５表示要素、６表示要素のうちの一つからなる表示要素のグループによって表示されることを特徴とする。
【請求項２０】
請求項１７に従い、当該装置は、前記時間グループ・パターンと前記分グループ・パターンの組み合わせで単一表示パターンを形成することを特徴とする。
【請求項２１】
請求項１７に従い、当該装置は、各前記時間グループ・パターンと前記分グループ・パターンが、ドットの最初のグループ・パターン、ドットの二番目のグループ・パターン、線の最初のグループ・パターン、線の二番目のグループ・パターン、形状の最初のグループ・パターン、形状の二番目のグループ・パターンのうちの一つからなるグループ・パターンのグループから選択されることを特徴とする。
【請求項２２】
請求項１７に従い、当該装置では、
時間表示要素は、１２または２４の主要時間表示要素で構成される時間表示要素のグループから選択され、主要時間表示要素は１時間の経過を示し、
分表示要素は、６０の主要分表示要素（各分が１分の経過を示す）、１２の主要分表示要素（５分の経過を示す）、１２の主要分表示要素および４の２次的な分表示要素（５分間の中の４分間のうち１分の経過を示す）から構成される分表示要素から選択される。
【発明の詳細な説明】
【技術分野】
【０００１】
本発明は、通常時間の表現と表示に関する発明である。具体的には、本発明は選択可能表示パターンの形で時間を表示する装置に関連するものである。
【背景技術】
【０００２】
歴史的に、人は時間を表示しようと試みてきた。まず、原始的な日時計、次に機械の時計、そして現在はデジタル時計がある。
【０００３】
子供がはじめて伝統的な機械時計または時間がデジタル数字で表示される時計を知ったとき、時間を知る方法を学ぶのに苦労する。結果として、カスタマイズ可能で、柔軟性があり、変更可能で、容易に理解できるような、時刻についての情報を表示する別の方法を提供する必要があると感じられてきた。本発明は、今日幅広く使用されている機械とデジタルの時計に続く、時間を知る新たな方法である。
【０００４】
1973年12月4日にFukumotoに対し発行された米国特許 No.3,775,964は、時間表示面が時間、分、秒を表示する12の倍数のセクションに分割され、電灯のようなものが前記セクション内にあり、時計の構造に接続するスイッチを使用してオン・オフされ、前期セクションを逐次照らし出すことで時間を表示するのを特徴とする数字または指針を使用する時間表示装置の明細である。1976年5月25日、Manberに対し発行された米国特許No. 3,958,409は、一回に各列の一つのダイオードだけが充電されるように順次充電されて分と時間を示す発光ダイオードの一番目と二番目の同心円形配列を含む腕時計の表示部の明細である。
【０００５】
1988年7月12日にPardoに対して発行された米国特許 No.4,757,484は、容易に見ることができ、隣接する一番目と二番目および照射可能な表示パネル付の空のハウジングを備えた時計装置の明細書である。最初のパネルは１時間の表示要素とゼロを示す逆V、１を示す四つのドットとそれぞれ５を示す二つの水平バーを持つ。二番目のパネルは数十分の表示要素で四つのドットと一つの水平バーを持ち、五番目のパネルは分の表示要素で逆V,四つのドットと一つの水平バーを待つ。本装置はまた、別個の、マヤ符号と+ と - の記号を持つ四番目、五番目、六番目の表示パネル、および本装置に順番または同時に時間と温度を表示させるスイッチの付いた同様の温度計測および表示構造を含む。
【０００６】
1989年10月3日にNormanに対し発行された米国特許No.4,872,150は、時間と日付の情報を少なくとも１つの配列で伝達する装置の明細である。 各配列は、目に見える付属品のない表示面に少なくとも１つの画像を含み、各画像はその形状に何らかの意味を持つのではなく、整数１を意味する配列におけるその存在によって、またその不在のひとつと整数０を意味するその縮小に意味を持つ。それぞれの配列は、少なくとも秒、分、時、曜日、日、月、季節、年を示す２進数を表す。 本配列における画像は、何らかの配列における他の画像の存在、不在、または縮小に関わらず、本配列の部分を形成せず、本配列の画像の部分を形成しないリファレンスに比例して配置される。
【０００７】
1990年4月24日にKotobに対して発行された米国特許No.4,920,524は、時計の文字盤が時間を示す12の青い発光ダイオード（LED）のうち最初の円形配列、分を示す60の赤いLEDの二番目に最も外側の配列、秒を表す60の緑のLEDの三番目の最も外側の配列を持つ時計の明細である。 ５分ごとに配置される「分」LEDと、それらの間に配置される「分」 LEDとは、隣接するLEDからの位置が遠く離れているか、隣接するLEDよりも大きいか、またはその両方の理由で、異なる。本時計のタイミング回路にスイッチがあり、毎秒が経過するごとに60「分」のLEDが順番に充電される操作の「通常」モードか、５分毎の間隔で五「分」ごとのLEDだけが順々に充電される操作の「指導」モードを選択する。
【０００８】
1991年4月16日にVessaに対し発行された米国特許No.5,008,870は、中心位置と12の列を持つ表示付電子時計の明細である。各列は、中心位置からの半径方向を示す少なくとも５つの表示要素を持つ。各列の本表示要素により、少なくとも５つの同心列が定義される。 列の一つにより５分の指針の列が定義され、別の列により１時間の列が定義される。 分は１から４分までの期間を示す各半径列に沿って表示され、５分は５分表示要素によって表示される。
【０００９】
1993年7月13日にBikに対して発行された米国特許No.5,228,013は、色を変えて時間を示す複数の表示方法と、操作モード設定用のユーザーが利用しやすいスイッチを持つミクロ電子工学に基づく計時装置の明細である。 本装置とスイッチはアルミの枠の中に搭載されている。
【００１０】
1996年6月11日にCordova, Jr.に対して発行された米国特許No.5,526,327は、選択的かつ漸進的に、各領域がそれぞれ時間、分、秒、十分の一秒を表す事前に定義された領域を満たすことで時間の経過を表現する表示と方法の明細である。 本領域は、いかなる形状または複数の形状の組み合わせでもよい。満たされた本領域の部分は、経過した時間、分、秒、または十分の一秒の部分を表す。本領域は通常色が濃い可能性があり、この場合は、満たすことで本領域に光が当たり、または通常色が薄い場合は、満たすことで本領域の色が濃くなる。本領域は、斬新かつ非連続性のパターンで設定され様々な対象に統合することが可能である。
【００１１】
1997年6月3日にBrewer, et alに対し発行された特許No.5,636,185は、電子時計またはその他のデザイン・アパレル・アイテム用の動的に変化する多色の液晶表示部の明細である。 本表示部は、幾何学画像、動画画像、カスタム画像、デザイナー・ラベル、ロゴなどの様々な色の画像を色付背景に提供または、芸術的に見て美しくおしゃれに色を変化させる機能を提供するために順応することができる。 更に、動的に変化する腕時計またはその他のデザイナー・アパレル・アイテムにより、水晶表示部の色の見え方を電子制御すると同時に、水晶表示部画像を電子制御することが可能になり、こうした画像は通常時間と無関係である。
【００１２】
1997年12月2日にSullivanに対して発行された米国特許No.5,694,376は、セグメント要素の長さと位置が時間を反映する単一セグメント要素を使用して時間を表示する方法と装置の明細である。本装置は通常タイマー回路を構成し時刻の時間と分を設定、維持し、セグメント要素はタイマー回路に反応する回路を制御し、セグメント要素の長さと位置を調整してタイマー回路により維持される時間を反映する。
【００１３】
1998年10月6日にLuchunに対して発行された米国特許No.5,818,798は、明暗帯が入れ替わってユーザーが現時刻を決定する手助けをする一体型英数字表示部付時計の明細である。本表示部は、現在の時間を示すそれぞれ十二時間の表示要素を備えた２つの列を含む。表示部の周辺には60分の表示要素の輪が位置している。 本時計には、RFアンテナで受信された従来のページング・プロトコルを解読するメッセージ受信機が含まれている。
【００１４】
1998年11月17日にReinerに対して発行された米国特許No.5,838,643は、仕様で見ると多角形の構造を持つ画面と、画面と一体となった計時構造で構成される時計の明細である。 時刻の時間、分、日付、秒の表示方法は、多角形の横に備わっている。
【００１５】
1999年4月20日にLyonに対して発行された米国特許 No.5,896,348は、時間の経過を追跡し表示する新しい方法または仕様の明細である。 表示要素の３つのグループが使用され、各グループは他の２つのグループから区別されている。各表示要素は、２つのうち１つの状態を表示することが可能で、２つの状態の間でいつでも切り替えることができる。 最初のグループは、時間を表す12の表示要素で構成される。二番目のグループは、10分単位で時間の経過を示す５つの表示要素で構成される。三番目のグループは、分の経過を示す9つの表示要素で構成される。
【００１６】
2002年3月14日にEmamiに対して発行された米国特許発行番号No.20020031051は、時間が個々に作動または解除される多数の表示方法で表される腕時計の明細である。本腕時計には、表示方法の最初のグループが時間数、二番目のグループの表示方法が分数の最初の位置、三番目のグループが分数の二番目の位置用に含まれている。本表示は、各グループで、できれば、少なくとも三つの小群を形成し、グループと小群が別々に光学的に認知されることが可能な方法で配列され、一つのグループで作動する表示方法の量は、時間を再表示する数字に対応する。
【００１７】
2002年12月26日にGuhlに対し発行された米国特許発行番号No.20020196711は、中国の画像を表示要素として用いて表示するデジタルまたはアナログの時間表示部と装置を備えた腕時計の明細である。表示要素は12の中国の生物の記号を表示し、視覚的に各文字の一つの生物記号が二時間の時を表し、それぞれ視覚的な描写は特定の時間表示に対応するようにデザインされている。
【００１８】
1992年10月発行のドイツ特許No.4,111,415は、時間を通常の時間、分、秒の形式で表示する装置の明細である。５進法による表記が、照明が当てられている同一のユニットの行列と共に使用されている。右側の縦列は1から4までの数字を示し、中央の列は5, 15, と20を示し、左側の列は25または50を示して分・秒の表示を行う。 1 から 24 までの時間は別の２コラムの行列に同様の5進法で表示される。
【００１９】
1993年2月25日に発行されたドイツ特許No.4,135,514は、表示要素付で関連して動くことが可能な主要表面部を持つ装置の明細である。本主要表面部は、一日などの完全な時間のサイクルを示し、表示要素はその上に載せられる。表示要素は主要表面よりも明るいか、または別の色である可能性があり、実際の時間を示す。
【００２０】
1993年4月22日に発行されたドイツの特許No.4,134,709は、視覚的記号を、各小数(0-9) を一桁または二桁の数字で表示するために使用することを含む方法についての明細であり、例えば、列の選択されたLEDを照らすことで時間、分、秒または日、月、年を再表示する。 本方法は小数にとって変わることができる。
【００２１】
2002年4月5日発行の日本国特許No.2002-98,782 は、時刻を時間、分と秒で色コードに分け、14の表示ウィンドウで表示する方法の明細である。 時間は表示ウィンドウにより、時間、分、秒で表示され、分は分補間表示ウィンドウに、秒は秒補間表示ウィンドウに表示される。 表示ウィンドウには、例えば、主要色LEDが使用され、赤は時間の表示に、緑は分、青は秒を表示するというように、各色の位置を照らすことで時間、分を５分単位で、秒は５秒単位で表示するように分配している。分補間表示ウィンドウは、光が当たっていないときには5分、10分、15分のように、５分で割り切れる分数を表し、連続的に次の分数を白、次の分を赤、その次を緑、その次を青に光で照らし、１分の単位と5分単位の表示ウィンドウとをあわせて60分を表示する。
【００２２】
上記の発明と特許はいずれも単独または組み合わせでも、本発明を請求されるように説明するものではない。従って、前述の問題を解決する時間を表示する装置が望まれる。
【発明の開示】
【００２３】
本発明は、選択可能表示パターンの形で時間を表示する装置である。時間を表示する装置は、少なくとも２つの選択可能な表示パターンが記憶可能な記憶装置が含まれる。 インターフェースは、オペレーターから少なくとも1つの入力を受信するよう設定されている。入力により、インターフェースは選択可能表示パターンから適したパターンを選択する。 装置は、少なくとも２つの表示要素がある。表示要素は、最低２時間の表示要素および最低２分の表示要素を含み、表示領域の近くに表示される。表示要素コントローラーは、時間メカニズム、記憶装置およびインターフェースと親密に関わりあっている。各時間表示要素は少なくとも状態表示と非状態表示を持ち、１時間の経過を示す。 表示状態にある時間の表示要素の表示要素の量は、一日のうちの時間の経過を示す。 各分表示要素は少なくとも状態表示と非状態表示を持ち、最低１分の経過を示す。 表示状態にある分の表示要素の表示要素の量は、一時間のうちの分の経過を示す。 コントローラーは、時間表示要素および分表示要素と密接に関わっている。 コントローラーは、時間表示要素および分表示要素の状態表示および非状態表示の両状態で、各時間表示要素および分表示要素の切り替えが可能である。コントローラーは、時間メカニズムから時間シグナルを受信することが可能である。受信した時間シグナルにより、コントローラーは時間表示要素および分表示要素に表示管理シグナルを出力する。これにより表示領域の近くに表示される選択可能表示パターンの時間グループおよび分グループのパターンが生じる。選択された選択可能な表示パターンの各時間グループパターンおよび分グループパターンは表示領域に対して別個で認識できるものであり、事実上それぞれ識別可能である。
【００２４】
本発明の一つとして、選択可能な表示パターンの形で時間を表示する装置がある。この時間を表示する装置には、少なくとも２つの選択可能表示パターンが記憶されている記憶装置が含まれる。インターフェースは、オペレーターから少なくとも１つの入力の受信が可能である。受信した入力により、インターフェースは選択可能パターンから適するパターンを選択する。 装置には、表示領域を含むハウジングがある。表示領域は、選択可能表示パターンから１つのパターンを表示する。装置は、少なくとも２つの表示要素がある。 表示要素は、表示領域の近くに表示される最低２時間の表示要素および最低２分の表示要素を含む。 表示要素コントローラーは、時間メカニズム、記憶装置およびインターフェースと密接に関わっている。各時間表示要素は少なくとも状態表示と非状態表示を持ち、１時間の経過を示す。表示状態にある時間の表示要素の表示要素の量は、一日のうちの時間の経過を示す。各分表示要素は少なくとも状態表示と非状態表示を持ち、最低１分の経過を示す。表示状態にある分の表示要素の表示要素の量は、一時間のうちの分の経過を示す。コントローラーは、時間表示要素および分表示要素と密接に関わっている。 コントローラーは、時間表示要素および分表示要素の状態表示および非状態表示の両状態で、各時間表示要素および分表示要素の切り替えが可能である。コントローラーは、時間メカニズムから時間シグナルを受信することが可能である。受信した時間シグナルにより、コントローラーは時間表示要素および分表示要素に表示管理シグナルを出力する。 これにより、表示領域の近くに表示される表示の選択表示可能パターンの時間グループおよび分グループパターンが生じる。選択された選択可能な表示パターンの各グループパターンは表示領域に対して別個で認識できるものであり、事実上それぞれ識別可能である。
【発明を実施するための最良の形態】
【００２５】
本発明は、選択可能表示パターンの形で時間を表示する装置である。最初の実施例では、本装置は記憶装置、インターフェース、表示領域を含むハウジング、多数の表示要素、そして表示要素コントローラーを含む。本記憶装置は多数の選択可能な表示パターン用に使用され、ハウジングの中に含まれている可能性がある。 選択可能な表示パターンは、オペレータおよび・または製造者の趣向または好みによりカスタマイズすることが可能である。インターフェースは、少なくともオペレーターおよび・または製造者から一つの入力を受け入れる仕様であり、ハウジングに含まれるか固定されている可能性がある。 受信された入力を、可能であれば、インターフェースがコントローラーと通信し、選択可能な表示パターンの一つを選択する。ハウジングは、選択された選択可能な表示パターンに対応する表示領域または背景を含む。多数の表示要素には、表示領域の近くに位置する多数の時間表示要素と多数の分表示要素を含む。多数の表示要素は更に、表示領域の近くに位置する多数の秒表示要素、多数の日表示要素、多数の日付表示要素および・または多数の月表示要素を含む可能性がある。
【００２６】
表示状態にある時間の表示要素の表示要素の量は、一日のうちの時間の経過を示す。 表示状態にある分の表示要素の表示要素の量は、一時間のうちの分の経過を示す。表示状態にある秒の表示要素の表示要素の量は、一分のうちの秒の経過を示す。表示状態にある日の表示要素の表示要素の量は、一週間のうちの日の経過日数を示す。表示状態にある日付の表示要素の表示要素の量は、一月のうちの日の経過日数を示す。表示状態にある月の表示要素の表示要素の量は、一年のうちの月の経過月数を示す。
【００２７】
コントローラーは時間装置、記憶装置、インターフェースと通信状態にあり、ハウジング内に含まれている可能性がある。また、コントローラーは多数の表示要素と操作可能な通信状態にある。更に、コントローラーは、時間信号を時間装置からの受信に対応し、また時間信号に対応して表示コントロール信号を多数の表示要素に送信して、選択された選択可能表示パターンの時間グループパターン、分グループパターン、グループパターン、曜日グループパターン、日付グループパターン、および・または月グループパターンが表示領域の近くに表示されるようにしている。
【００２８】
選択された選択可能な表示パターンの各グループパターンは表示領域に対して別個で認識できるものであり、事実上それぞれ識別可能である。多数の表示要素の表示源は、放射光、シャッターで反射されるような反映された光、蛍光、あるいは何らかの照明方法または手法の可能性がある。更に、インターフェースは、パターン・トグル要素および・または時間表示トグル要素であるか、あるいはそれらを含んでいる可能性がある。
【００２９】
二番目の実施例では、装置にハウジングは含まれていない。従って、選択された選択可能な表示パターンは構造の表示領域に表示または展示される。更に、本発明の装置は、別の表示パターンの表示が望ましい場合は、オペレーターおよび・または製造者に対して、別の選択可能な表示パターンを選択することを可能にする柔軟性をもつ。
【００３０】
図 1-16を参照：本発明は、選択可能な表示パターンの形で時間を表示する装置である。 本発明の装置110は、記憶装置120、インターフェース130、表示領域142を含むハウジング140、多数の表示要素および表示要素コントローラー210を含む。また本発明の装置110の最初の実施例は、腕時計、柱時計、卓上時計、デジタル・バンク時計、自動車およびその他の車両の中の時計、ニューヨーク市のタイムズ・スクエアにある時計のような広告看板タイプの時計、携帯電話、パソコン、そして、特に電子および・または通信に関連し、表示領域を持つハウジングを含み、時間を表示または示すことを求める何らかの装置である。
【００３１】
図 14および15参照：記憶装置120は、多数の選択可能パターンを記憶することが可能であり、またハウジング140内にある可能性がある。また記憶装置120は、個人、オペレーター112および/または製造者がプログラムしたもしくは保存した選択可能表示パターンを記憶可能な既存の装置である可能性がある。選択可能な表示パターンは、例えば縦型指針が（図9に示すように）午前中の時間を示し、下向指針で（図10に示すように）午後の時間を示し、スポーツ・ボール、漫画のキャラクター、あるいは何らかのその他表示パターンの形態というように、オペレーター112および・または製造者の好みに合わせてカスタマイズすることが可能である。更に、オペレーター112は、名前および・または苗字のイニシャルを表記する（図8に示されているように）ように、時間の表示を個人的な方法でカスタマイズすることを好む可能性がある。
【００３２】
図 14および15、インターフェース130は、ハウジング140内、もしくはハウジング140で保存される、オペレーター112および/または製造者の入力を最低１つ受信する。受信される入力により、インターフェース130は、選択可能パターンから適するパターンを選択するため、コントローラー210と密接に関わり合う可能性がある。 インターフェース130は技術的に知られた何らかの装置である可能性がある。
【００３３】
図 1-7と15に示されているように、ハウジング140 は選択された選択可能な表示パターンの表示に対応する表示領域142または背景を含む。本発明の最初の実施例が製造された装置の種類により、ハウジング140は、図1-7に示されているように、異なる形状および・または構造の一つを持つ可能性がある。
【００３４】
図 1、2および4〜16参照：表示領域142に表示される多数の表示要素は、多数の時間表示要素150および多数の分表示要素160を含む。また表示領域142に表示される多数の表示要素はまた多数の分表示要素170、多数の日表示要素180、多数の日付表示要素190、および/または多数の月表示要素200を含む。例えば、多数の表示要素は、表示領域142の内および/または下側に表示される可能性がある。多数の表示要素は、また、液晶表示(LCD)もしくは発光ダイオード(LED)のピクセルおよび/もしくは既知の表示要素技術が使用される可能性がある。
【００３５】
各時間表示要素150は少なくとも状態表示と非状態表示を持ち、１時間の経過を示す。 図 1,2,4-12および16に示されているように、状態表示にある時間表示要素150の表示要素の量は、一日の時間の経過を示す。例えば、時間表示要素150の数は12または24の主要時間表示要素152である可能性がある。
【００３６】
各分表示要素160は少なくとも状態表示と非状態表示を持ち、最低１分の経過を示す。図 5,6に示されているように、表示状態にある分の表示要素160 の表示要素の量は、一時間のうちの分の経過を示す。例えば、分表示要素160の数は、各主要分表示要素162が１分の経過を示す60主要分表示要素162であり、各主要分表示要素162が5分の経過を示す12主要分表示要素162であり、あるいは、各主要分表示要素162が5分の経過を示し、各二次分表示要素164が各5分間隔の間の4分間のうちの1分の経過を示す12主要分表示要素162と4二次分表示要素164である可能性がある。
【００３７】
各秒表示要素170は少なくとも状態表示と非状態表示を持ち、最低１秒の経過を示す。 図12に示されているように、表示状態にある秒表示要素170の表示要素の量は、一分のうちの秒の経過を示す。例えば、秒表示要素170の数は、各主要秒表示要素172が１秒の経過を示す60主要秒表示要素172であり、各主要秒表示要素172が5秒の経過を示す12主要秒表示要素172であり、あるいは、各主要秒表示要素172が5秒の経過を示し、各二次秒表示要素174が各5秒間隔の間の4秒間のうちの1分の経過を示す12主要秒表示要素172と4二次秒表示要素174である可能性がある。
【００３８】
各日表示要素180は少なくとも状態表示と非状態表示を持ち、最低一週間の中の１日の経過を示す。 図12に示されているように、表示状態にある日の表示要素180 の表示要素の量は、一週間のうちの日の経過を示す。例えば、日表示要素180の数は、各主要日表示要素182が1日の経過を示す7主要日表示要素182、あるいは主要日表示要素182が5日の経過を示し、各二次日表示要素184が一週間の初めの4日間のうちの1日の経過を示し、表示状態にある主要日表示要素182と組み合わせた場合は、一週間の6日目と7日目のうちの1日の経過を示す、1主要日表示要素182と4二次日表示要素である可能性がある。
【００３９】
各日付表示要素190は少なくとも状態表示と非状態表示を持ち、最低一月の中の１日の経過を示す。図 2と13に示されているように、表示状態にある日付の表示要素190 の表示要素の量は、一月のうちの日の経過を示す。例えば、日付表示要素190の数は、各主要日付表示要素192が1月のうちの1日の経過を示す31主要日付表示要素192、あるいは各主要日付表示要素192が5日の経過を示し、各二次日付表示要素194が5日間隔の間の4日間のうちの1日の経過を示し、表示状態にある6主要日付表示要素192と組み合わせた場合は、1月の31日目の1日の経過を示す、6主要日付表示要素192と4二次日付表示要素である可能性がある。
【００４０】
各月表示要素200は少なくとも状態表示と非状態表示を持ち、最低１月の経過を示す。図 2と13に示されているように、表示状態にある月の表示要素200 の表示要素の量は、一年のうちの月の経過を示す。
【００４１】
例えば、月表示要素200の数は、各主要月表示要素202が1年のうちの1月の経過を示す12主要月表示要素202、あるいは各主要月表示要素202が5ヶ月の経過を示し、各二次月表示要素204が5ヶ月間隔の間の4ヶ月のうちの1月の経過を示し、表示状態にある2主要月表示要素202と組み合わせた場合は、1年の11月と12月の1月の経過を示す、2主要月表示要素202と4二次月表示要素である可能性がある。
【００４２】
表示状態にある多数の表示要素を示すことによる時間の表示の例として、図1は時間が8時間30分であることを示している。図2は日付が7月12日であることを示している。 図4は時間が10時55分であることを示している。図5は時間が11時5分であることを示している。図6は時間が7時12分であることを示している。図7 および8は時間が12時55分であることを示している。図9は時間が午前11時10分であることを示している。図10は時間が午後11時10分であることを示している。 図11は時間が10時16分であることを示している。図12は時間が3時間、25分、13秒であり、曜日が週の７日目もしくは日曜日であることを示している。図13は日付が12月16日であることを示している。図15 は時間が8時間15分であることを示している。
【００４３】
図 14および15参照：表示要素コントローラー210は、時間メカニズム220、記憶装置120およびインターフェース130と通信する可能性があり、またハウジング140内に含まれる可能性がある。またコントローラー210は、少なくとも表示状態および非表示状態150、160、170、180、190、200の間で多数の表示要素150、160、170、180、190、200に切り替えることが可能である。またコントローラー210は、時間メカニズム220から時間シグナルを受け取ることができ、また一方で、時間シグナルを受信すると 表示領域142で表示される多数の表示要素 150、160、170、180、190、200への選択された選択表示パターンの表示管理シグナル（時間グループパターン230、分グループパターン240、秒グループパターン250、日グループパターン260、日付グループパターン270、出力、月グループパターン280といった）の出力が可能である。図15は時計110aの装置110の好ましい内装144 および外装146 を示している。
【００４４】
コントローラー210 はプロセス・ユニットとメモリを含む既知の集積回路である可能性がある。 当該メモリはランダム・アクセス・メモリ(RAM)、読み出し専用メモリ(ROM)、消去可能PROM(EPROM)、データ記憶メモリを含んでいる可能性がある。好ましい実施形態では、コントローラー210 はプロセッサと、内部記憶装置で構成され、コントローラー210をコントロールするソフトウェアが内部記憶装置に保存されている。また、コントローラー210は、LCDコントローラー、 LED コントローラー、シャッターズ・コントローラー、または、ソフトウェアまたはハードウェアのプログラミングの使用などの多数の表示要素に取り組むまたは管理する何らかの既知の標準的な装置である可能性がある。
【００４５】
コントローラー210 はプロセス・ユニットとメモリを含む既知の集積回路である可能性がある。 当該メモリはランダム・アクセス・メモリ(RAM)、読み出し専用メモリ(ROM)、消去可能PROM(EPROM)、データ記憶メモリを含んでいる可能性がある。好ましい実施形態では、コントローラー210 はプロセッサと、内部記憶装置で構成され、コントローラー210をコントロールするソフトウェアが内部記憶装置に保存されている。また、コントローラー210は、LCDコントローラー、 LED コントローラー、シャッターズ・コントローラー、または、ソフトウェアまたはハードウェアのプログラミングの使用などの多数の表示要素に取り組むまたは管理する何らかの既知の標準的な装置である可能性がある。
【００４６】
グループ・パターン230,240,250,260,270,280は、オペレーター112あるいは製造者の趣向または好みに合わせて様々な異なった方法で表示領域142の近くに表示される可能性がある。 例えば、グループ・パターン230, 240, 250, 260, 270, 280 は異なる色、異なるサイズ・ドット、線または形状、および・またはドット、線、または形状の間の異なる間隔で表示される可能性がある。ドット、線、および・または形状は様々なグループ分けまたはパターンにカスタマイズすることが可能である。 表示領域142に対しドット、線および形状が離れている、また見分けがつけば、ドット、線および形状は、いかなる形（円形、三角形、四角形、正方形、不規則な形、直線、曲線、点線など）、サイズ、大きさでよい。ドット、線および/もしくは形は時間に合わせて変更可能である。例えば日ごと、午前から午後、週ごと、月ごとに時間により変更が可能であったり、もしくは時間に関わらず、製造者もしくは個人がソフトウェア、ハードウェア、メカニカル・インターフェースもしくは他の既知の技術で自動的にもしくは不規則に変更することが可能である。グループパターン230,240,250,260,270,280の異なる表示方法は、ビューアーもしくはオペレーター112に、グループパターン230,240,250,260,270,280から迅速に時間を把握することを容易にする可能性がある。またこれは選択可能表示パターンをよりいっそう美しく表示することに役立つ可能性がある。また、グループ・パターン230,240,250,260,270,280 の二つまたはいくつかは組合わせて単一表示パターンを形成するためにプログラムされている可能性がある。
【００４７】
例えば、多数の表示要素150,160,170,180,190,200 の表示源は、放射光、シャッターで反射されるような反映された光、蛍光、あるいは何らかの照明方法または手法の可能性がある。
【００４８】
簡単さおよび・または製造者の好みで、記憶装置120、インターフェース130、多数の表示要素150,160,170,180,190,200 そして、コントローラー210 は、単一操作装置として製造されているもののように、搭載されている装置は少ない。
【００４９】
図 1および2参照：インターフェース130は、オペレーター112により最初のポジション292および第2のポジション294のいずれに配置可能なパターントーグルメンバー290を含む可能性がある。パターントーグルメンバー290が最初のポジション292の時、少なくとも1つのグループパターン（時間グループパターン230および分グループパターン240）のいずれの最初の表示が表示される。 パターン・トグル要素290 が二番目の位置294にある場合は、少なくとも、日付グループ・パターン270と月グループ・パターン 280のような他のグループ・パターンのうちのひとつの二番目の表示が表示または示されて、最初の表示と二番目の表示が互いに視覚的に区別できるようにする。
【００５０】
あるいは、トグル要素290 はトグル状態を通して連続的にスクロールする瞬間的なスゥイッチである可能性がある。 当該トグル状態は、図2Aに示されている、日付と時間の両方が表示されている三番目のトグル状態を含んでいる可能性がある。
【００５１】
図2Aでは、当該装置は表示領域142b付の腕時計110bとして構成されている。トグルスゥイッチ290b は、表示部に、スゥイッチ290bが押されるたびに表示状態間を切り替える瞬間的スゥイッチであり、当該トグル状態には時間のみを表示する最初の状態、日付のみを表示する二番目の状態、そして日付と時間の両方を表示する三番目の状態が含まれる。図2Aには、表示の詳細が示されている。 月に対応する表示要素は、土星として表記されている主要月記号202bを含み、土星の記号202bの各存在は経過した5ヶ月を示し、二番目の月記号204bは土星の衛星のひとつとして表記され、経過した一月に対応している。 二つの土星記号202b と二つの衛星204b が表示部に現れるので、対応する月は12番目の月、12月である。
【００５２】
図2Aでは、日付に対応する表示要素は、泳ぐ人の棒線画で表記され、棒図192b の各要素が経過した５日に対応する主要日付記号192b、および跳ねる魚で表記され、各跳ねる魚が一日の経過に対応する二次日付記号194bを含む。 主要日付記号192b は五つの棒要素（頭、3腕要素、および1足要素）と4跳ねる魚を含むので、図2Aに示される日付はこの月の29番目の日である。
【００５３】
時間要素は、波、または水面のさざなみで表記され、各さざなみ152b が1時間の経過に対応する主要時間表示要素152b、図で大型の星で表記され、星の中心から放射される各光線または線が５分に対応する主要分表示要素162b, 図で小型の星で表記され、各小星164b が１分の経過に対応する二次分表示要素164bを含む。 図2Aの142bでは12のさざなみ152b、11光線を発する3つの大型星162b、4小星164bが示されているので、表示されている時間は12時間59分である。
【００５４】
図2Aで示されるように、表示要素はグラフィックイメージ（人間がトビウオと天国の下で泳ぐなど）とともに表示される可能性がある。また図2Aは、日付を表示するために使用されている図が必ずしも表示されなければいけないことを意味しません。また時間を表示する表示要素がグループ化されていなければならないことを意味しません。ユーザーが各記号に割り当てられた重要性を理解すれば十分である。
【００５５】
図2A はまた、時間と分に割り当てられた記号が従来の時計回りに表記される必要がないことを示している。ここでもまた、ユーザーは各記号に割り当てられた重要性を理解すれば十分である。図2A に示される記号は形状に基づいて区別されるものの、当業者には、表示要素がその代わりに色、光の強さ、あるいは何らその他の視覚的性質に基づいての区別が可能なことは明白であろう。
【００５６】
図 1および3参照：インターフェース130は、オペレーター112により最初のポジション297および第2のポジション299のいずれに配置可能な時間表示トグル要素295を含む可能性がある。時間表示トグル要素295が最初のポジション297の時、少なくとも1つのグループパターン（時間グループパターン230および分グループパターン240）のいずれかの最初の表示が表示される。時間表示トグル要素295が二番目の位置299にある時は、数字表記の時間パターン298の二番面の表示が表示または示される。
【００５７】
図16が示す本発明の第2の例では、装置310は記憶装置120、インターフェース130、多数の表示要素150,160,170,180,190,200および表示要素コントローラー210を含む。また第2の例の装置310は、第1例の装置110とは異なる。（第2例の装置310はハウジング140を含まない）装置310の例として、表示領域342（真っ白なビルボード、スクリーン、壁、またはビルのサイド344など）に表示される選択された表示パターン画像の映写装置 があげられる。
【００５８】
更に、本発明の装置110,310 は、別の表示パターンの表示が望ましい場合は、オペレーター112および・または製造者に対して、別の選択可能な表示パターンを選択することを可能にする柔軟性をもつ。これは、ソフトウェア、ハードウェア、メカニカル・インターフェース、または技術的に知られた何らその他の装置または方法である可能性がある。
【００５９】
更に、従来の時間の表示と新たに提案されている時間の表示を組み合わせることは可能である。また、従来のものと新たに提案されている時間の表示を同時に表示することも可能である。
【００６０】
従って、本発明の主要な目的は、オペレーターおよび・または製造者によってカスタマイズ可能な一日の時間についての情報を表す方法を提供することである。情報がビューアーに理解されやすく、見た目も美しい。
【００６１】
本発明が上記の実施のみに制限されるものではなく、次の請求項の範囲内における何ら全ての実施を含むことが理解されるべきである。
【図面の簡単な説明】
【００６２】
【図１】本発明に従い、腕時計の形態で時間と分で時刻を表示する、時間を表示する装置の環境的斜視図である。
【図２】日付と月を表示す図１の装置の環境的斜視図である。
【図２Ａ】図１の装置と同類の腕時計の断片的な環境的斜視図であり、表示領域が日付と時間の両方を示しているトグル状態を示すため拡大されている。
【図３】時間を数字またはデジタル・パターンで表示する図１の装置の環境的斜視図である。
【図４】本発明に従い、卓上時計の形態で時間と分で時刻を表示する、時間を表示する装置の環境的斜視図である。
【図５】本発明に従い、柱時計の形態で時間と分で時刻を表示する、時間を表示する装置の環境的斜視図である。
【図６】本発明に従い、柱時計の形態で時間と分で時刻を表示する、時間を表示する装置の環境的斜視図である。
【図７】本発明に従い、柱時計の形態で時間と分で時刻を表示する、時間を表示する装置の環境的斜視図である。
【図８】本発明に従い、柱時計の形態で時間と分で時刻を表示する、時間を表示する装置の環境的斜視図である。
【図９】本発明に従い、時間を表示する装置の平面図または正面図であり、別の選択可能表示パターンの午前中の時間グループパターンと分グループパターンの形態で時間を表示している。
【図１０】本発明に従い、時間を表示する装置の平面図または正面図であり、図９の選択可能表示パターンの午後の時間グループパターンと分グループパターンの形態で時間を表示している。
【図１１】本発明に従い、時間を表示する装置の平面図または正面図であり、別の選択可能表示パターンの時間グループパターンと分グループパターンの形態で時間を表示している。
【図１２】本発明に従い、時間を表示する装置の平面図または正面図であり、別の選択可能表示パターンの時間グループパターン、分グループパターン、秒グループパターン、日グループパターンの形態で時間を表示している。
【図１３】本発明に従い、時間を表示する装置の平面図または正面図であり、別の選択可能表示パターンの日付グループパターンと月グループパターンの形態で時間を表示している。
【図１４】本発明に従い、時間を表示する装置の図式を示している。
【図１５】本発明に従い、時間を表示する装置の内部と外部を示しており、腕時計として別の選択可能表示パターンの時間グループパターンと分グループパターンの形態で時間を表示している。
【図１６】本発明に従い、時間を表示する装置の別の実施例の環境的斜視図であり、投射装置として選択可能表示パターンの時間グループパターンと分グループパターンの形態で時間を表示している。
【００６３】
添付の図面全般にわたり、同様の参照文字が対応する特徴を示している。
【図１】
2007504457.tif 000003
【図２】
2007504457.tif 000004
【図２Ａ】
2007504457.tif 000005
【図３】
2007504457.tif 000006
【図４】
2007504457.tif 000007
【図５】
2007504457.tif 000008
【図６】
2007504457.tif 000009
【図７】
2007504457.tif 000010
【図８】
2007504457.tif 000011
【図９】
2007504457.tif 000012
【図１０】
2007504457.tif 000013
【図１１】
2007504457.tif 000014
【図１２】
2007504457.tif 000015
【図１３】
2007504457.tif 000016
【図１４】
2007504457.tif 000017
【図１５】
2007504457.tif 000018
【図１６】
2007504457.tif 000019
【国際調査報告】
2007504457.tif 000020
2007504457.tif 000021